(57)【特許請求の範囲】
【請求項１】
吸引風を発する電動送風機と、前記電動送風機へ電源を供給する電源コードを内蔵し、前記電源コードを前記掃除機本体内に巻き取るためのコードリールと、前記コードリールの動作及び停止を行い一端が押し部で上下に回動自在なブレーキペダルと、前記ブレーキペダルの他端にコードリールの停止を行うゴムブレーキと、前記ブレーキペダルを上方に付勢する弾性体を備え、前記ブレーキペダルの押し部の下方に断面略円弧状の摺動隔壁を形成するとともに、前記ブレーキペダルの押し部を押して前記ブレーキペダルを回動させたとき、前記摺動隔壁が前記摺動隔壁を上方より覆う掃除機本体の外郭に沿って回動する電気掃除機。
【請求項２】
摺動隔壁と前記摺動隔壁を上方より覆う掃除機本体の外郭の間に軟質材を貼付した請求項１記載の電気掃除機。
【発明の詳細な説明】
【０００１】
【発明の属する技術分野】
本発明は、電源コードの巻き取り装置を備えた電気掃除機に関するものである。
【０００２】
【従来の技術】
従来の電気掃除機の構成を図２〜図４により説明する。図２において、本体１は吸引風を発する電動送風機２を内蔵し、電動送風機２の前方には吸引した塵埃を蓄積する集塵室３が形成されている。４は集塵室３に連通するよう本体１に着脱自在に接続される接続パイプで、可撓性を有するホース５の一端が接続されている。ホース５の他端には手元握りパイプ６が接続され、集塵室３内と手元握りパイプ６とはホース５、接続パイプ４を介して連通している。７は手元握りパイプ６に着脱自在に接続される吸引管で、吸引管４の先端には床用吸込具８が着脱自在に接続されている。
【０００３】
図３は本体１の平面図である。本体１の上面にブレーキペダルの押し部９が形成されており、押し部９を下方へ押動させることにより電源コード１０は本体１の中に収納される。
【０００４】
図４は本体１のブレーキペダル１１部における側断面拡大図である。電動送風機２との隔壁１２には電源コード１０を巻き取るためのコードリール１３とコードリール１３の動作及び停止を行う一端が押し部９となるブレーキペダル１１、ブレーキペダル１１の他端にコードリール１３の停止を行うゴムブレーキ１４、ブレーキペダル１１の回動軸１５及びブレーキペダル１１から押力を除いたときに復元動力となるように前記ブレーキペダル１１を上方に付勢する弾性体であるバネ１６が設置されている。ブレーキペダル１１の押し部９に押力を与えると、ブレーキペダル１１が回動軸１５を中心として回転し、ゴムブレーキ１４がコードリール１３より離れ、コードリール１３が回転し電源コード１０を巻き取る。押し部９から押力を除くと、バネ１６の復元力によりブレーキペダル１１は押し戻されゴムブレーキ１４がコードリール１３と接触して、コードリール１３の回転を停止させる機構になっており、ブレーキペダル１１は押し部９に押力を与えられたり除かれたりすることにより回動軸１５を中心に回転するため、押し部９と掃除機本体外郭１７が衝突しないように、２つの間には隙間が設けられていた。また隔壁１２には電源コード１０の温度上昇対策として排気漏らし用の穴１８が設けられていた。
【０００５】
【発明が解決しようとする課題】
しかしながら上記従来の電気掃除機本体１では、電源コード１０の温度上昇対策のため隔壁１２の穴１８から排気を漏らすため、ブレーキペダル１１の押し部９と掃除機本体外郭１７の隙間から排気が漏れ、隙間より風切音が発生していた。
【０００６】
本発明は上記問題を解消すべく、ブレーキペダルの押し部と掃除機本体外郭との間の隙間をなくし、隙間より発生する風切音を防止して低騒音の電気掃除機を提供することを目的とする。
【０００７】
【課題を解決するための手段】
上記の目的を達成するために本発明は、吸引風を発する電動送風機と、前記電動送風機へ電源を供給する電源コードを内蔵し、前記電源コードを前記掃除機本体内に巻き取るためのコードリールと、前記コードリールの動作及び停止を行い一端が押し部で上下に回動自在なブレーキペダルと、前記ブレーキペダルの他端にコードリールの停止を行うゴムブレーキと、前記ブレーキペダルを上方に付勢する弾性体を備え、前記ブレーキペダルの押し部の下方に断面略円弧状の摺動隔壁を形成するとともに、前記ブレーキペダルの押し部を押して前記ブレーキペダルを回動させたとき、前記摺動隔壁が前記摺動隔壁を上方より覆う掃除機本体の外郭に沿って回動するもので、押し部と掃除機本体外郭との隙間をなくし、隙間より発生する風切音を防止することができる。
【０００８】
【発明の実施の形態】
本発明の請求項１記載の発明は、吸引風を発する電動送風機と、前記電動送風機へ電源を供給する電源コードを内蔵し、前記電源コードを前記掃除機本体内に巻き取るためのコードリールと、前記コードリールの動作及び停止を行い一端が押し部で上下に回動自在なブレーキペダルと、前記ブレーキペダルの他端にコードリールの停止を行うゴムブレーキと、前記ブレーキペダルを上方に付勢する弾性体を備え、前記ブレーキペダルの押し部の下方に断面略円弧状の摺動隔壁を形成するとともに、前記ブレーキペダルの押し部を押して前記ブレーキペダルを回動させたとき、前記摺動隔壁が前記摺動隔壁を上方より覆う掃除機本体の外郭に沿って回動するもので、押し部と掃除機本体外郭との隙間をなくし、隙間より発生する風切音を防止することができる。
【０００９】
本発明の請求項２記載の発明は、上記請求項１記載の発明において、摺動隔壁と前記摺動隔壁を上方より覆う掃除機本体の外郭の間に軟質材を貼付したもので、より押し部と掃除機本体外郭との隙間をなくし、隙間より発生する風切音を防止することができる。
【００１０】
【実施例】
以下、本発明の実施例を図１を用いて説明する。なお、従来例と同一部分については同一符号を付して、その説明を省略する。
【００１１】
図１は本発明における本体１のブレーキペダル１１部における側断面拡大図である。ブレーキペダル１１の押し部９の下部に摺動隔壁１９を形成し、摺動隔壁１９と前記摺動隔壁１９を上方より覆う掃除機本体外郭端部２２の隙間を、前記摺動隔壁１９が回動可能限界となるまで小さくしている。掃除機本体外郭端部２２と摺動隔壁１９の間には軟質材であるパッキン２１を貼付する。なお、パッキンは弾性のあるものであれば何でもよいが、単発泡のゴム等空気を通さないものが望ましい。摺動隔壁１９の形状は曲面であり、前記摺動隔壁１９の曲方向と掃除機本体外郭端部２２は前記ブレーキペダル１１の回動軸１５を中心にして同心の円弧を形成している。
【００１２】
上記構成による作用は以下の通りである。
【００１３】
摺動隔壁１９の曲方向と掃除機本体外郭端部２２は前記ブレーキペダル１１の回動軸１５を中心にして同心の円弧を形成しているため、押し部９に押力を与えても摺動隔壁１９は掃除機本体外郭端部２２と衝突することはなく掃除機本体外郭端部２２が摺動隔壁１９の回動を邪魔することはない。よって、ブレーキペダル１１のスムーズな回動を邪魔することなく、押し部９と掃除機本体外郭１７との隙間をなくし、隙間より発生する風切音を防止することができる。また、パッキン２１により排気の漏れ防止性をより一層向上させることができる。さらに、押し部９と掃除機本体外郭１７の隙間より内部が見えることもないため、外観的にも良好である。
【００１４】
【発明の効果】
本発明によれば、ブレーキペダルの押し部と掃除機本体外郭との間の隙間をなくし、隙間より発生する風切音を防止して低騒音の電気掃除機を提供できる。
【図面の簡単な説明】
【図１】本発明の実施例を示す電気掃除機本体のブレーキペダル部における側断面拡大図（図３のＡ−Ａ断面図）
【図２】従来の電気掃除機の側面図
【図３】同電気掃除機本体の平面図
【図４】同電気掃除機本体のブレーキペダル部における側断面拡大図（図３のＡ−Ａ断面図）
【符号の説明】
９  押し部
１０  電源コード
１１  ブレーキペダル
１３  コードリール
１４  ゴムブレーキ
１５  回動軸
１６  バネ
１７  掃除機本体外郭
１９  摺動隔壁
２１  パッキン
２２  掃除機本体外郭端部
【図１】
0004617628.tif 000002
【図２】
0004617628.tif 000003
【図３】
0004617628.tif 000004
【図４】
0004617628.tif 000005